(57)【要約】  【課題】  レンズ装置での連写対応動作タイミングと撮像装置での連写動作タイミングとを合致させるとともに、レンズ装置の性能に応じて撮像装置の連写動作をコントロールできるようにする。  【解決手段】  撮像装置１１６には、レンズ装置１１５が取り外し可能に装着される。撮像装置は、被写体を撮像して映像信号を生成する撮像手段１０３〜１０６と、該撮像手段を用いて複数の静止画像を連続的に生成する連写手段１０６と、該レンズ装置との通信を行う通信手段１１０と、該通信により受信したレンズ装置に関する情報に基づいて、連写手段を制御する制御手段１０８とを有する。【選択図】  図６
2007074610.tif 000002
【特許請求の範囲】
【請求項１】
レンズ装置が取り外し可能に装着される撮像装置であって、
被写体を撮像して映像信号を生成する撮像手段と、
前記撮像手段を用いて複数の静止画像を連続的に生成する連写手段と、
前記レンズ装置との通信を行う通信手段と、
該通信により受信した前記レンズ装置に関する情報に基づいて、前記連写手段を制御する制御手段とを有することを特徴とする撮像装置。
【請求項２】
前記情報は、前記レンズ装置に搭載されたメカニカルシャッタに関する情報であることを特徴とする請求項１に記載の撮像装置。
【請求項３】
前記情報は、前記メカニカルシャッタによる所定時間あたりの連写可能画像数を示す情報であることを特徴とする請求項２に記載の撮像装置。
【請求項４】
前記制御手段は、前記情報に基づいて、前記静止画像を生成する時間間隔を制御することを特徴とする請求項１に記載の撮像装置。
【請求項５】
撮像装置に取り外し可能に装着されるレンズ装置であって、
前記撮像装置における連写動作の制御に用いられる情報を記憶した記憶手段と、
前記撮像装置に対して前記情報を送信する通信手段とを有することを特徴とするレンズ装置。
【請求項６】
前記情報は、該レンズ装置に搭載されたメカニカルシャッタに関する情報であることを特徴とする請求項５に記載のレンズ装置。
【請求項７】
前記情報は、前記メカニカルシャッタによる所定時間あたりの連写可能画像数を示す情報であることを特徴とする請求項６に記載のレンズ装置。
【請求項８】
請求項１から４のいずれか１つに記載の撮像装置と、請求項５から７のいずれか１つに記載のレンズ装置とを有することを特徴とする撮像システム。
【請求項９】
レンズ装置が取り外し可能に装着される撮像装置の制御方法であって、
被写体を撮像して映像信号を生成するステップと、
複数の静止画像を連続的に生成する連写動作を行うステップと、
前記レンズ装置との通信により受信した該レンズ装置に関する情報に基づいて、前記連写動作を制御するための設定を行うステップとを有することを特徴とする撮像装置の制御方法。
【請求項１０】
撮像装置に取り外し可能に装着されるレンズ装置の制御方法であって、
前記撮像装置における連写動作の制御に用いられる情報を記憶手段から読み出すステップと、
前記撮像装置に対して前記情報を送信するステップとを有することを特徴とするレンズ装置の制御方法。
【発明の詳細な説明】
【技術分野】
【０００１】
本発明は、メカニカルシャッタを備えたレンズ装置の着脱が可能な撮像装置に関し、特に静止画連写機能を有するビデオカメラ等の撮像装置に関する。
【背景技術】
【０００２】
動画を撮影するためのビデオカメラであって、特にインターレース型の撮像素子（ＣＣＤ）を備えたものでは、メカニカルシャッタを用いることで、良好な静止画像も記録することができる（例えば、特許文献１，２参照）。
【０００３】
また、レンズ装置の着脱が可能なビデオカメラシステムにおいて、メカニカルシャッタをレンズ装置に搭載したものが提案されている。
【０００４】
さらに、このようなビデオカメラにおいては、撮影者が静止画記録スイッチを押し続けることにより、連続して複数の静止画像を撮影するいわゆる「連写機能」が搭載されるようになってきている。
【特許文献１】特開２００４−７２４３８３号公報（段落００１９〜００２０、図１）
【特許文献２】特開２００３−１６９２４８号公報（段落００２１〜００２４、図１）
【発明の開示】
【発明が解決しようとする課題】
【０００５】
しかしながら、レンズ装置にメカニカルシャッタが搭載され、撮像装置が連写機能を有する場合においては、レンズ側でのメカニカルシャッタの連写のための開閉動作タイミングと撮像装置側での連写タイミングとが合致している必要がある。すなわち、メカニカルシャッタにおける単位時間当たりでの開閉動作の繰り返し速度と、撮像装置側での単位時間当たりでの連写速度とが一致する必要がある。
【０００６】
具体的には、撮像装置の連写速度が秒間５枚である場合は、レンズ側のメカニカルシャッタの開閉動作も秒間５枚の連写に対応する速度で行われなければならない。
また、たとえ両者の連写動作タイミングが合致していても、レンズ側において、メカニカルシャッタの耐久性等を考慮して、秒間５枚未満の連写速度（最大許容連写速度）が推奨されている場合がある。この場合に、撮像装置からの指令によって秒間５画像以上の連写のためのメカニカルシャッタ動作が行われることは好ましくない。従来のビデオカメラでは、どのような交換レンズが装着されても、所定の連写速度（例えば、秒間５枚）で連写動作を行っていた。
【０００７】
なお、メカニカルシャッタの最大許容連写速度はレンズ装置によって様々である。そして、撮像装置においては、各レンズ装置のメカニカルシャッタの最大許容連写速度の範囲内で、できるだけ多くの連写画像数を得られることが望ましい。
【０００８】
本発明は、レンズ装置での連写対応動作タイミングと撮像装置での連写動作タイミングとを合致させるとともに、レンズ装置の性能に応じて撮像装置の連写動作をコントロールできるようにすることを目的の１つとしている。
【課題を解決するための手段】
【０００９】
本発明の一側面としての、レンズ装置が取り外し可能に装着される撮像装置は、被写体を撮像して映像信号を生成する撮像手段と、該撮像手段を用いて複数の静止画像を連続的に生成する連写手段と、該レンズ装置との通信を行う通信手段と、該通信により受信したレンズ装置に関する情報に基づいて、連写手段を制御する制御手段とを有することを特徴とする。
【００１０】
また、本発明の他の側面としての、撮像装置に取り外し可能に装着されるレンズ装置は、撮像装置における連写動作の制御に用いられる情報を記憶した記憶手段と、撮像装置に対して該情報を送信する通信手段とを有することを特徴とする。
【００１１】
また、本発明の他の側面としての、レンズ装置が取り外し可能に装着される撮像装置の制御方法は、被写体を撮像して映像信号を生成するステップと、複数の静止画像を連続的に生成する連写動作を行うステップと、レンズ装置との通信により受信した該レンズ装置に関する情報に基づいて、連写動作を制御するための設定を行うステップとを有することを特徴とする。
【００１２】
さらに、本発明の他の側面としての、撮像装置に取り外し可能に装着されるレンズ装置の制御方法は、撮像装置における連写動作の制御に用いられる情報を記憶手段から読み出すステップと、撮像装置に対して該情報を送信するステップとを有することを特徴とする。
【発明の効果】
【００１３】
本発明によれば、装着されたレンズ装置に関する情報に応じて、撮像装置側での静止画像の連写動作を適切に制御することができる。この結果、レンズ装置側での連写のための動作タイミングと撮像装置側での連写動作タイミングとを合致させることができるとともに、レンズ装置に過度の負荷をかけずに許容された連写速度の範囲内で任意の連写を行うことが可能となる。
【発明を実施するための最良の形態】
【００１４】
以下、本発明の実施例について図面を参照しながら説明する。
【００１５】
図６には、本発明の実施例である撮像システムの構成を示している。本実施例の撮像システムは、ビデオカメラ本体（以下、単にカメラ本体という）１１６と、該カメラ本体１１６に取り外し可能に装着される交換レンズ（レンズ装置）１１５とにより構成されている。
【００１６】
交換レンズ１１５において、１０１は結像レンズ、１０２は光量を調整するためのアイリス、１１２はアイリス１０２を制御する絞り制御回路である。１１３はアイリス１０２の絞り値を検出するための絞り値検出回路、１１４はカメラ本体側の撮像素子１０３への被写体光の入射を遮断して撮像素子１０３の露光を禁止するメカニカルシャッタである。
【００１７】
１２３はメカニカルシャッタ１１４を高速動作させるためのメカニカルシャッタ制御回路、１１１は交換レンズブロック１１５内の制御を行うレンズマイクロコンピュータである。
【００１８】
カメラ本体１１６において、１０３はＣＣＤセンサやＣＭＯＳセンサ等の撮像素子、１０４はＣＤＳ／ＡＧＣ回路（二重相関サンプリング回路／自動利得制御回路）である。１０５はアナログの映像信号をデジタル信号に変換するためのＡ／Ｄコンバータ、１０６はカメラ信号処理回路である。撮像素子１０３〜カメラ信号処理回路１０６により、撮像手段が構成される。
【００１９】
１０７は映像信号や静止画像信号を記録するレコーダー部である。１１９はカメラ信号処理回路１０６にて所定の処理を施された映像信号を一時的に蓄えるためのメモリとしてのＳＤＲＡＭである。
【００２０】
１１８はカメラ信号処理回路１０６にて生成された輝度情報の積分データを伝達するための信号経路、１１７はカメラ信号処理回路１０６で生成されたＶＤ（垂直同期信号）を伝達するための信号経路である。
【００２１】
１０８はカメラ本体１１６の各種動作の制御を行うカメラマイクロコンピュータである。１１０はカメラ本体１１６と交換レンズ１１５との結合部であるマウントに設けられ、カメラマイクロコンピュータ１０９とレンズマイクロコンピュータ１１１との間で各種情報の通信を行うための通信ラインである。この通信ライン１１０を介して、カメラマイクロコンピュータ１０８からレンズマイクロコンピュータ１１１にクロック信号（ＣＬＫ）１２１と指令信号（ＣＳ）１２７が送信される。クロック信号は、両マイクロコンピュータ１０８，１１１の動作を同期させるためのタイミング信号である。また、カメラマイクロコンピュータ１０８とレンズマイクロコンピュータ１１１との間で相互にデータ（ＤＡＴＡ）１２２が通信される。また、マウント部を介して、カメラ本体側から交換レンズ側に電源１２０が供給される。
【００２２】
１０９は静止画像を記録するための静止画記録スイッチ、１２５は撮影者による静止画記録スイッチ１０９の操作に応じてカメラ信号処理回路１０６に静止画像を生成させる指令信号を伝達するための静止画記録指令信号経路である。１２４は生成された静止画像を不図示のカード型メモリ（半導体メモリ）に記録するためのカードＩ／Ｆである。１２６はカメラ本体１１６に交換レンズ１１５が装着されているか否かを検出するためのレンズ検出回路である。
【００２３】
カメラ本体１１６に交換レンズ１１５が装着されると、カメラ本体１１６から電源ライン１２０を介して交換レンズ１１５に電源が供給される。結像レンズ１０１によって形成された被写体像は、アイリス１０２によって光量が制限されて撮像素子１０３上に結像する。
【００２４】
撮像素子１０３からの光電変換出力としてのアナログ映像信号は、ＣＤＳ／ＡＧＣ回路１０４によってノイズ除去や利得制御が行われた後、Ａ／Ｄコンバータ１０５でデジタル信号に変換されてカメラ信号処理回路１０６に送られる。
【００２５】
カメラ信号処理回路１０６は、デジタル映像信号を処理して規格化された映像信号を生成する。この映像信号は、デジタル信号のままレコーダー部１０７へ送られて不図示の記録媒体（磁気テープ、光ディスク等）に記録される。
【００２６】
カメラ信号処理回路１０６は、デジタル映像信号から輝度情報を抽出し、さらにこれを積分してＡＥ用の検波信号を生成する。この検波信号は、ＡＥ用検波信号ライン１１８を介してカメラマイクロコンピュータ１０８に入力される。カメラマイコン１０８は、ＡＥ用検波信号をＤＡＴＡ１２２としてレンズマイクロコンピュータ１１１に送信する。
【００２７】
レンズマイコン１１１では、受信したＡＥ用検波信号（つまりは、被写体からの光量）が一定レベルを維持するように絞り制御回路１１２に絞り制御信号を出力させる。アイリス１０２は絞り制御回路１１２からの絞り制御信号を受けて駆動される。
【００２８】
静止画像を撮影する場合は、撮影者は、カメラ本体１１６に設けられた静止画記録スイッチ１０９を操作する。該操作に応じて、カメラマイクロコンピュータ１０８は、カメラ信号処理回路１０６に対して静止画記録実行信号を出力する。該信号を受けたカメラ信号処理回路１０６は、デジタル映像信号から静止画像を生成し、ＳＤＲＡＭ１１９に記憶する。ＳＤＲＡＭ１１９に記憶された静止画像データは、カードＩ／Ｆ１２４を介してカード型メモリに記録される。
【００２９】
この際、撮影者が静止画記録スイッチ１０９を継続的に操作する（いわゆる長押し操作をする）と、複数の静止画像が所定の時間間隔で生成されて記録される連続撮影（連写）が行われる。カメラ信号処理回路１０６は、連写手段として機能する。
【００３０】
ここで、交換レンズ１１５に搭載されたメカニカルシャッタ１１４に対しては、１秒間の間に許容される開閉動作可能回数（以下、本実施例では、最大許容連写速度という）が予め決められている。この最大許容連写速度は、メカトロニクス部品としての性能や耐久性、メカニカルシャッタ制御回路１２３を通じて制御する場合の電気的特性等を考慮して、該紅顔レンズの設計段階又は製造工程において決定される。この最大許容連写速度を示す情報は、該交換レンズの製造時や調整時に、レンズマイクロコンピュータ１１１内に設けられたメモリ１１１ａに書き込まれる。
【００３１】
図には、１つの交換レンズのみ示しているが、本実施例のカメラ本体１１６には、マウント形式が共通する複数の交換レンズを装着することが可能である。そして、交換レンズＡと、該交換レンズＡよりも高性能・高耐久仕様の交換レンズＢがある場合に、交換レンズＡでは最大許容連写速度として、例えば、秒間３枚の静止画像取得に対応する回数がメモリ１１ａに書き込まれる。また、交換レンズＢでは、例えば、秒間５枚の静止画像取得に対応する回数がメモリ１１１ａに書き込まれる。
【００３２】
通常の単独撮影（単写）において撮影者が静止画記録スイッチ１０９を操作すると、カメラマイクロコンピュータ１０８は、メカニカルシャッタ１１４を閉じるための指令信号（ＣＳ１２７）をレンズマイクロコンピュータ１１１に送信する。
【００３３】
レンズマイクロコンピュータ１１１は、受信した指令信号に応じてメカニカルシャッタ制御回路１２３を通じてメカニカルシャッタ１１４を閉じ動作させる。カメラ本体１１６では、レンズ側でのメカニカルシャッタ１１４の閉じ動作に同期して静止画像生成のための信号処理を行わなくてはならない。ここでいう信号処理とは、メカニカルシャッタ１１４が閉じた後の映像信号を用いて、記録すべき静止画像としての本画像（ＲＡＷデータ）を作成することを意味する。本画像を生成した後、該本画像を圧縮して、カード型メモリに記録可能なＪＰＥＧファイルを生成する。そして、カードＩ／Ｆ１２４を介して静止画像の記録を行う。
【００３４】
また、撮影者が静止画記録スイッチ１０９を操作し続けると、上述した静止画像の生成および記録動作が繰り返される。但し、各静止画像の生成タイミングは、後述する連写制御用のタイマーであるＷＡＩＴタイマーによってコントロールされる。
【００３５】
次に、図１に示すフローチャートを用いて、交換レンズ１１５での初期動作について説明する。この動作は、レンズマイクロコンピュータ１１１の内部メモリに格納されたコンピュータプログラムに従って実行される。
【００３６】
まず、ステップ（図では「Ｓ」と略記する）１０１では、レンズマイクロコンピュータ１１１は、該交換レンズ１１５がカメラ本体１１６に装着中か否かを判断する。この判断は、電源１２０、ＣＬＫ１２１、ＤＡＴＡ１２２およびＣＳ１２７が予め決められたプロトコルの通りにレンズマイコン１１１に入力されているか否かを判断することで行う。
【００３７】
カメラ本体１１６に装着されていないと判断した場合は、本フローを終了する。カメラ本体１１６に装着されていると判断した場合は、ステップ１０２に進み、初期通信が終了したか否かを判断する。ここでいう初期通信とは、カメラ本体１１６と交換レンズ１１５との間で予め決められたプロトコルを用いて、両者の特徴となるデータを相互にやり取りするための通信である。
【００３８】
初期通信が終了したと判断した場合はステップ１０４に進む。初期通信が終了していないと判断した場合は、ステップ１０３に進む。ステップ１０３では、メカニカルシャッタ１１４の連写性能に関する情報である最大許容連写速度の情報（以下、連写性能データという）をメモリ１１１ａから読み出す。
【００３９】
個々の交換レンズに搭載されているメカニカルシャッタ１１４やメカニカルシャッタ制御回路１２３の性能や特性が異なるため、この最大許容連写速度の情報は、その性能・特性に対応した最大許容連写速度をカメラマイクロコンピュータ１０８に知らせるためのデータである。
【００４０】
次に、ステップ１０４では、該最大許容連写速度の情報と、該交換レンズ１１５の特徴を表す各種ステータス情報とを、ＤＡＴＡ１２２としてカメラマイクロコンピュータ１０８に送信する。
【００４１】
次に、図２に示すフローチャートを用いて、カメラ本体１１６での初期動作について説明する。この動作は、カメラマイクロコンピュータ１０８の内部メモリに格納されたコンピュータプログラムに従って実行される。これ以降に説明する動作についても同様である。
【００４２】
まず、ステップ２０１では、カメラマイクロコンピュータ１０８は、カメラ本体１１６に交換レンズ１１５が装着中か否かを判断する。この判断は、カメラ本体１１６に交換レンズ１１５が装着されたことをメカ的に検出して電気信号を出力するレンズ検出回路１２６を通じて行う。交換レンズ１１５が装着されていないと判断した場合は、本フローを終了する。交換レンズ１１５が装着されていると判断した場合は、ステップ２０２に進む。
【００４３】
ステップ２０２では、初期通信が終了したか否か判断する。ここにいう初期通信とは、前述した通りである。初期通信が終了したと判断した場合は、ステップ２０４に進む。初期通信が終了していないと判断した場合は、ステップ２０３に進む。
【００４４】
ステップ２０３では、交換レンズ１１５から送信されてきた連写性能データを受信する。そして、ステップ２０４では、該連写性能データに基づいて、カメラ本体１１６で行う静止画像の連写動作に対する制御パラメータを設定する。具体的には、レンズ側のメカニカルシャッタ１１４の最大許容連写速度に対応した（最適な）、カメラ本体側での連写速度（秒間Ｘ枚）や、連写時の静止画像生成の時間間隔を決めるＷＡＩＴタイマーや、映像信号から連写静止画像を生成するための処理内容等、連写動作に関する各種制御パラメータを設定する。設定された制御パラメータは、カメラマイクロコンピュータ１０８の内部メモリに記憶される。
【００４５】
次に、図３のフローチャートを用いて、カメラ本体１１６における静止画像の撮影（生成および記録）動作について説明する。ステップ３０１において、カメラマイクロコンピュータ１０８は、静止画記録スイッチ（図ではフォトＳＷと記す）１０９がＯＮされているか否かを判断する。静止画記録スイッチ１０９がＯＮされていないと判断した場合再度ステップ３０１の判断を繰り返す。静止画記録スイッチ１０９がＯＮされていると判断した場合は、ステップ３０２に進む。
【００４６】
ステップ３０２では、メカニカルシャッタ１１４のＣＬＯＳＥ処理を行う。具体的には、メカニカルシャッタ１１４を閉じ動作させるための指令信号をＣＳ１２７としてレンズマイクロコンピュータ１１１に送信する。レンズマイクロコンピュータ１１１は、受信した指令信号に応じてメカニカルシャッタ制御回路１２３を通じてメカニカルシャッタ１１４を閉じ動作させる。
【００４７】
また、カメラマイクロコンピュータ１１１は、メカニカルシャッタ１１４の閉じ動作タイミングに同期して本画像（静止画像）の生成処理を行う。具体的には、１画面を１フレームとした場合、その１フレームを構成する走査線のＥＶＥＮ（偶数番目）の電荷とＯＤＤ（奇数番目）の電荷を撮像素子１０３からそれぞれ交互に読み出して、１画面の画像信号を形成する。読み出された画像信号は、ＣＤＳ／ＡＧＣ回路１０４でゲイン調整され、Ａ／Ｄコンバータ１０５でアナログ信号からデジタル信号に変換される。そして、カメラ信号処理回路１０６で各種処理を行い、本画像が生成される。生成された本画像のデータは、ＳＤＲＡＭ１１９に格納される。
【００４８】
カメラ信号処理回路１０６で本画像を生成するためのタイミングは、カメラマイクロコンピュータ１０８からカメラ信号処理回路１０６へ静止画記録実行信号を入力するタイミングによって決定される。
【００４９】
次に、ステップ３０４では、本画像データをカード型メモリに記録可能とするために、ＪＰＥＧファイルを作成する。
【００５０】
次に、ステップ３０５では、連写に備えて、ＷＡＩＴタイマーの設定を行う。このＷＡＩＴタイマーは、先に説明したステップ２０３で交換レンズ１１５から受信した連写性能データに基づき、ステップ２０４で設定された連写制御パラメータに含まれる。ＷＡＩＴタイマーを、メカニカルシャッタ１１４の最大許容連写速度以下の連写速度で連写動作が行われるように設定することで、メカニカルシャッタ１１４に過度の負荷が掛かることを回避し、交換レンズ１１５の耐久性に支障が生じないようにすることができる。なお、ＷＡＩＴタイマーの具体的な設定動作については後述する。
【００５１】
次に、ステップ３０６では、再度、静止画記録スイッチ１０９がＯＮされているか否かを判断する。静止画記録スイッチ１０９がＯＮされていないと判断した場合（単写の場合）は、ステップ３０１に戻る。静止画記録スイッチ１０９がＯＮされていると判断した場合、すなわち静止画記録スイッチ１０９が長押しされていると判断した場合は、ステップ３０７に進む。
【００５２】
ステップ３０７では、タイマーのカウントをスタートさせる。次に、ステップ３０８では、タイマーのカウント値が先に設定されたＷＡＩＴタイマーの値に達したか（タイマーカウントが終了したか）否かを判断する。タイマーカウントが終了していない場合は、再度ステップ３０８を繰り返す。タイマーカウントが終了した場合は、ステップ３０９に進み、カウンタ値をクリアしてステップ３０１に戻る。そして、ステップ３０１でも静止画記録スイッチ１０９がＯＮされていると判断した場合は、ステップ３０２〜３０４が実行されて連写２枚目の静止画像が取得される。これ以降、上記の処理が繰り返されることにより、連写が続行される。
【００５３】
次に、図４のフローチャートを用いて、図２のステップ２０４で行われるＷＡＩＴタイマーの設定動作について説明する。ここでは、カメラ本体側での連写動作が、秒間５枚の連写速度を最大として行われる場合について説明する。
【００５４】
ステップ４０１では、カメラマイクロコンピュータ１０８は、交換レンズ１１５から送信された連写性能データに示された最大連写許容速度が秒間５枚か否かを判断する。秒間５枚の場合は、ステップ４０２に進み、ＷＡＩＴタイマーとしてタイマー１を設定する。タイマー１は、１秒間の間に５回の本画像生成処理およびＪＰＥＧファイル生成処理を繰り返す場合に、各回の処理を均一な時間間隔で開始するための待ち時間である。
【００５５】
ステップ４０１において、最大連写許容速度が秒間５枚でない場合は、ステップ４０３に進み、秒間４枚であるか否かを判断する。秒間４枚の場合は、ステップ４０４に進み、ＷＡＩＴタイマーとしてタイマー２を設定する。タイマー２は、１秒間の間に４回の本画像生成処理およびＪＰＥＧファイル生成処理を繰り返す場合に、各回の処理を均一な時間間隔で開始するための待ち時間であり、上記タイマー１よりも長い時間である。
【００５６】
ステップ４０３において、最大連写許容速度が秒間４枚でない場合は、ステップ４０５に進み、秒間３枚であるか否かを判断する。秒間３枚の場合は、ステップ４０６に進み、ＷＡＩＴタイマーとしてタイマー３を設定する。タイマー３は、１秒間の間に３回の本画像生成処理およびＪＰＥＧファイル生成処理を繰り返す場合に、各回の処理を均一な時間間隔で開始するための待ち時間であり、上記タイマー２よりも長い時間である。
【００５７】
ステップ４０５において、最大連写許容速度が秒間３枚でない場合は、ステップ４０７に進み、秒間２枚であるか否かを判断する。秒間２枚の場合は、ステップ４０８に進み、ＷＡＩＴタイマーとしてタイマー４を設定する。タイマー４は、１秒間の間に２回の本画像生成処理およびＪＰＥＧファイル生成処理を繰り返す場合に、各回の処理を均一な時間間隔で開始するための待ち時間であり、上記タイマー３よりも長い時間である。
【００５８】
ステップ４０７において、最大連写許容速度が秒間２枚でない場合は、そのまま本フローを終了する。
【００５９】
図５Ａには、前述したように最大連写許容速度が秒間３枚である交換レンズＡが装着された場合に設定されるＷＡＩＴタイマー（タイマー３）と連写動作の処理タイミングとの関係を示している。また、図５Ｂには、最大連写許容速度が秒間５枚である交換レンズＢが装着された場合に設定されるＷＡＩＴタイマー（タイマー１）と連写動作の処理タイミングとの関係を示している。
【００６０】
１枚の静止画像を生成するための処理に要する時間は、本画像生成処理とＪＰＥＧファイルの生成処理の時間であり、常に一定である。そこで、１秒間の間での処理回数が多い（連写速度が速い）ほどＷＡＩＴタイマーを短くし、逆に処理回数が少ないほどＷＡＩＴタイマーを長くする。具体的には、本画像生成処理に要する時間をＴ１とし、ＪＰＥＧファイルを生成するのに要する時間をＴ２とするとき、ＷＡＩＴタイマーの設定時間は、
１（ｓｅｃ）÷連写速度（秒間Ｘ枚）−Ｔ１−Ｔ２
となる。これにより、連写速度に応じて静止画像生成の時間間隔を変えることができる。
【００６１】
そして、交換レンズ１１５に搭載されたメカニカルシャッタ１１４の性能に応じてＷＡＩＴタイマーの値を設定することにより、該メカニカルシャッタ１１４に過度の負荷をかけることなく、かつそのメカニカルシャッタ１１４（つまりは、装着された交換レンズ）で許容される最大の連写速度での連写を行うことができる。
【００６２】
以上説明したように、本実施例では、交換レンズ１１５に搭載されたメカニカルシャッタ１１４の連写性能データをカメラ本体１１６に送信し、カメラ本体１１６において該連写性能データに基づいて連写動作の時間間隔（ＷＡＩＴタイマー）を最適に設定する。このため、メカニカルシャッタの動作タイミングとカメラ本体側での連写動作タイミングとを合致させることができ、生成される連写静止画像が異常になることを回避できる。しかも、レンズ側に搭載されたメカニカルシャッタの連写性能を十分に引き出して、該メカニカルシャッタに許容される最大の連写速度で連写を行うことができる。
【００６３】
なお、上記実施例では、交換レンズから、メカニカルシャッタによる所定時間あたりの連写可能画像数を示す最大許容連写速度の情報をカメラ本体に送信する場合について説明したが、本発明においてレンズ装置から撮像装置に送信される情報はこれに限られない。
【００６４】
例えば、連写時の各静止画像生成に先だってレンズ装置にてフォーカス制御やアイリス制御を行う場合には、レンズ装置でのそれら制御処理に要する時間によって撮像装置側での連写速度が制限される。この場合に、該制御処理に要する時間を示す情報をレンズ装置から撮像装置に送信し、撮像装置において該情報に基づいて連写速度（ＷＡＩＴタイマー）を設定するようにしてもよい。
【図面の簡単な説明】
【００６５】
【図１】本発明の実施例である交換レンズでの動作を示すフローチャート。
【図２】本発明の実施例であるビデオカメラでの動作を示すフローチャート。
【図３】実施例のビデオカメラでの動作を示すフローチャート。
【図４】実施例のビデオカメラでの動作を示すフローチャート。
【図５Ａ】実施例におけるＷＡＩＴタイマーと連写動作の処理タイミングとの関係を示すタイミングチャート。
【図５Ｂ】実施例におけるＷＡＩＴタイマーと連写動作の処理タイミングとの関係を示すタイミングチャート。
【図６】実施例の撮像システムの構成を示すブロック図。
【符号の説明】
【００６６】
１０１  レンズ
１０２  アイリス
１０３  撮像素子
１０６  カメラ信号処理回路
１０８  カメラマイクロコンピュータ
１０９  静止画記録スイッチ
１１１  レンズマイクロコンピュータ
１１４  メカニカルシャッタ
１１５  交換レンズ
１１６  カメラ本体
【図３】
2007074610.tif 000003
【図１】
2007074610.tif 000004
【図２】
2007074610.tif 000005
【図４】
2007074610.tif 000006
【図５Ａ】
2007074610.tif 000007
【図５Ｂ】
2007074610.tif 000008
【図６】
2007074610.tif 000009